(57)【要約】  本発明は固定ベース部品と位置決め部品とロック部材とを含む貨物ストッパレバー構成及びそれを有するコンテナを提供する。固定ベース部品は、コンテナ体の筐体又は貨物の筐体に取り付けられ、第１の斜面を含む。位置決め部品は、固定ベース部品に対して移動可能であり、第２の斜面を含む。ロック部材は、位置決め部品及び固定ベース部品を順に接続し、位置決め部品と共に移動する。第１の斜面は、貨物がある側に向くように傾斜している。位置決め部品が所定の位置に移動すると、位置決め部品がロック部材を介して固定ベース部品と固定され、かつ第１の斜面が第２の斜面に当接される。本発明が提供する貨物ストッパレバー構成によれば、貨物の実際的な位置によってストッパレバーの位置を調整することができ、かつストッパレバーが適切な位置に調整された後に固定され、移動することができなくなるため、貨物の固定を実現することができる。【選択図】  図１
2021501101.tif 000002
【特許請求の範囲】
【請求項１】
コンテナ体の筐体又は貨物の筐体に取り付けられ、第１の斜面を含む固定ベース部品と、
前記固定ベース部品に対して移動可能であり、第２の斜面を含む位置決め部品と、
前記位置決め部品及び前記固定ベース部品に順に接続し、前記位置決め部品と共に移動するロック部材と、を備え、
ここで、前記第１の斜面は、貨物がある側に向くように傾斜していて、
前記位置決め部品が所定の位置に移動すると、前記位置決め部品が前記ロック部材を介して前記固定ベース部品に固定され、かつ、前記第１の斜面が第２の斜面に当接することによって、前記位置決め部品の貨物がある側への支持力を提供することを特徴とする貨物ストッパレバー構成。
【請求項２】
前記固定ベース部品は、移動方向に沿って延びるガイド溝を含み、
前記ロック部材は、前記ガイド溝を貫通すると共に前記ガイド溝内において前記移動方向に沿って移動可能であることを特徴とする請求項１に記載の貨物ストッパレバー構成。
【請求項３】
前記ロック部材は、接続部とロック部を含み、
前記ロック部は、前記接続部に套設して接続され、
前記ロック部の位置を調整することで、前記位置決め部品の位置が固定されることを特徴とする請求項１に記載の貨物ストッパレバー構成。
【請求項４】
前記位置決め部品に直接的又は間接的に接続されるストッパレバーを更に備えることを特徴とする請求項３に記載の貨物ストッパレバー構成。
【請求項５】
前記接続部は、一端が前記ロック部に接続され、前記一端に対向する他端にストッパ部が設けられ、
前記ロック部と前記ストッパレバーは、前記位置決め部品及び前記固定ベース部品を挟持していることを特徴とする請求項４に記載の貨物ストッパレバー構成。
【請求項６】
前記ロック部材に直接的又は間接的に接続されるストッパレバーを更に備えることを特徴とする請求項３に記載の貨物ストッパレバー構成。
【請求項７】
前記接続部は、一端が前記ロック部に接続され、前記一端に対向する他端が前記ストッパレバーに接続され、
前記ロック部と前記ストッパレバーは、前記位置決め部品及び前記固定ベース部品を挟持していることを特徴とする請求項６に記載の貨物ストッパレバー構成。
【請求項８】
前記ロック部に接続される接続具を更に備え、
前記ストッパレバーは、穴を有し、
前記接続具には、前記固定ベース部品の延在方向に沿って設置され、かつ前記穴に係合されるための回転軸が設置され、
前記ストッパレバーは、前記回転軸を中心として前記接続具に対して回転可能であることを特徴とする請求項７に記載の貨物ストッパレバー構成。
【請求項９】
前記ストッパレバーは、第１の穴と第２の穴を有し、
前記接続具には、前記第１の穴に係合するための第１の回転軸と、前記第２の穴に係合するための第２の回転軸が設置され、
前記ストッパレバーは、前記第１の回転軸及び前記第２の回転軸のうちの１つを中心として前記接続具に対して回転可能であることを特徴とする請求項８に記載の貨物ストッパレバー構成。
【請求項１０】
前記第１の穴は、長形状の貫通穴であり、前記ストッパレバーの延在方向に所定の長さを有し、
前記第２の穴は、円形状の貫通穴であり、かつ少なくとも２つ設けられ、
前記少なくとも２つの第２の穴は、前記ストッパレバーの延在方向に沿って間隔をあけて設置され、
前記第２の回転軸は、前記少なくとも２つの第２の穴のうちの１つに固定されることを特徴とする請求項９に記載の貨物ストッパレバー構成。
【請求項１１】
前記位置決め部品は、前記第２の斜面を有するＵ形状の部材として構成され、
前記固定ベース部品は、前記Ｕ形状の部材を貫通することを特徴とする請求項１に記載の貨物ストッパレバー構成。
【請求項１２】
前記固定ベース部品は、前記第１の斜面を有する複数の楔形部を含み、
前記複数の楔形部は、複数の前記位置決め部品及び複数の前記ロック部材に対応して設置されることを特徴とする請求項１に記載の貨物ストッパレバー構成。
【請求項１３】
請求項１から１２の何れか一項に記載の貨物ストッパレバー構成を含み、
前記貨物ストッパレバー構成は、コンテナ体の筐体に取り付けられることを特徴とするコンテナ。
【発明の詳細な説明】
【技術分野】
【０００１】
本発明は、貨物輸送分野に関し、より具体的には貨物ストッパレバー構成及びそれを有するコンテナに関する。
【背景技術】
【０００２】
コンテナは、多仕様の連合輸送である国際通運交通物流の運輸具として、適用領域はますます広くなってきており、関連業界も多くなってきている。一般貨物輸送の場合、貨物の梱包固定が便利であるが、自重が大きい貨物（例えば、コイル材、ガラス）を輸送する場合、単一の貨物の重量が重いので、輸送中に急ブレーキをかけると、貨物に大きな衝撃力が生じる。例えば、コンテナ内に貨物がしっかり固定されていない場合、大きな安全問題が発生する恐れがある。しかしながら、従来、このような貨物がコンテナで輸送される場合、貨物の梱包固定が煩雑であり、操作が不便である。
【０００３】
したがって、少なくとも部分的に従来技術にある課題を解決するための貨物ストッパレバー構成を提供する必要がある。
【発明の概要】
【０００４】
本発明の概要では、形式が簡略された一連の概念を導入してる。これについては、具体的な実施形態において、更に説明する。本発明の発明の概要は保護を求める技術案に係る重要な特徴及び必須の技術的特徴を限定することを意図せず、保護を求める技術案に係る保護範囲を定めることも意図しない。
【０００５】
少なくとも部分的に上記問題を解決するために、本発明の１つの側面によれば、固定ベース部品、位置決め部品、及びロック部材を備える貨物ストッパレバー構成を提供している。
固定ベース部品は、コンテナ体の筐体又は貨物の筐体に取り付けられ、第１の斜面を含み、
位置決め部品は、前記固定ベース部品に対して移動可能であり、第２の斜面を含み、
ロック部材は、前記位置決め部品及び前記固定ベース部品を順に接続し、前記位置決め部品と共に移動し、
前記第１の斜面は、貨物がある側に向くように傾斜しており、
前記位置決め部品が所定の位置に移動すると、前記位置決め部品が前記ロック部材を介して前記固定ベース部品に固定され、かつ前記第１の斜面は第２の斜面に当接することによって、前記位置決め部品の貨物がある側への支持力を提供する。
【０００６】
本技術案によれば、貨物の移動を妨げるためのストッパレバーが縦方向又は横方向に沿ってコンテナ体内に設置され、又は貨物を積載する筐体に設置される。ストッパレバーは貨物に向かう方向又は貨物から離れる方向に沿って移動可能である。それによって、貨物の実際の位置に応じてストッパレバーの位置調整を行うことができる。そして、ストッパレバーは適切な位置に調整された後に固定され、移動することができなくなるため、貨物の固定を実現できる。
【０００７】
好ましくは、前記固定ベース部品は移動方向に沿って延びるガイド溝を含み、前記ロック部材は前記ガイド溝を貫通すると共に前記ガイド溝内において前記移動方向に沿って移動可能である。これにより、ロック部材がガイド溝内において移動することができるので、ロック部材の移動方向がずれないようになる。
【０００８】
好ましくは、前記ロック部材は接続部とロック部を含み、前記ロック部は前記接続部に套設して接続され、前記ロック部の位置を調整することによって前記位置決め部品が固定される。これにより、位置決め部品を固定状態と移動状態の間で容易に切り替えることができる。
【０００９】
好ましくは、前記位置決め部品に直接的又は間接的に接続されるストッパレバーを更に備える。これにより、ストッパレバーが位置決め部品と共に移動することができる。
【００１０】
好ましくは、前記接続部は一端が前記ロック部に接続され、前記一端に対向する他端にはストッパ部が設けられ、前記ロック部と前記ストッパ部は前記位置決め部品及び前記固定ベース部品を挟持している。これにより、位置決め部品及び固定ベース部品はロック部とストッパ部による押圧によって固定される。
【００１１】
好ましくは、前記ロック部材に直接的又は間接的に接続されるストッパレバーを更に備える。これにより、ストッパレバーがロック部品と共に移動することができる。
【００１２】
好ましくは、前記接続部は一端が前記ロック部に接続され、前記一端に対向する他端が前記ストッパレバーに接続され、前記ロック部と前記ストッパレバーは前記位置決め部品及び前記固定ベース部品を挟持している。これにより、位置決め部品及び固定ベース部品はロック部とストッパレバーによる押圧によって固定される。
【００１３】
好ましくは、前記ロック部に接続される接続具を更に備え、前記ストッパレバーは穴を有し、前記接続具には前記固定ベース部品の延在方向に沿って設置され、前記穴に係合するための回転軸が設置され、前記ストッパレバーは前記回転軸を中心として前記接続具に対して回転可能である。
【００１４】
好ましくは、前記ストッパレバーは第１の穴と第２の穴を有し、前記接続具には前記第１の穴に係合するための第１の回転軸及び前記第２の穴に係合するための第２の回転軸が設置され、前記ストッパレバーは前記第１の回転軸及び前記第２の回転軸のうちの１つを中心として前記接続具に対して回転可能である。
【００１５】
好ましくは、前記第１の穴は長形状の貫通穴であり、前記ストッパレバーの延在方向に沿って所定の長さを有し、前記第２の穴は、円形状の貫通穴であり、かつ少なくとも２つが設けられ、前記少なくとも２つの第２の穴は前記ストッパレバーの延在方向に沿って間隔をあけて設置され、前記第２の回転軸は前記少なくとも２つの第２の穴のうちの１つに固定される。
【００１６】
好ましくは、前記位置決め部品は、前記第２の斜面を有するＵ形状の部材として構成され、前記固定ベース部品は前記Ｕ形状の部材を貫通する。これにより、位置決め部品の移動方向がずれないようになる。
【００１７】
好ましくは、前記固定ベース部品は、前記第１の斜面を有する複数の楔形部を含み、前記複数の楔形部は複数の前記位置決め部品及び複数のロック部材に対応して設置されている。これにより、１つの固定ベース部品が複数の位置決め部品及びロック部材に対応することで、複数のストッパレバーに接続することができる。
【００１８】
本発明の他の側面により、上記技術案のいずれか１つに記載の貨物ストッパレバー構成を備るコンテナが提供される。前記貨物ストッパレバー構成はコンテナ体の筐体に取り付けられる。
【図面の簡単な説明】
【００１９】
本発明の下記図面は、ここで本発明の一部として本発明を理解するために用いられる。図面には、本発明の装置及び原理を説明するために、本発明の実施形態及びその説明が示されている。図面において、
【図１】図１は、本発明に係る好ましい第１の実施形態の貨物ストッパレバー構成の正面図である。
【図２】図２は、図１に示す貨物ストッパレバー構成の平面図である。
【図３】図３は、図２における線Ａ−Ａに沿う断面図である。
【図４】図４は、本発明に係る好ましい第２の実施形態の貨物ストッパレバー構成の正面図である。
【図５】図５は、図４に示す貨物ストッパレバー構成の側面図である。
【図６】図６は、本発明に係る好ましい第３の実施形態の貨物ストッパレバー構成の正面図である。
【図７】図７は、図６に示す貨物ストッパレバー構成の側面図である。
【図８】図８は、図６に示す貨物ストッパレバー構成の別の構成の図である。ただし、ストッパレバー構成が直立位置にある。
【図９】図９は、図６に示す貨物ストッパレバー構成のさらに別の構成の図である。ただし、ストッパレバー構成が別の直立位置にある。
【発明を実施するための形態】
【００２０】
以下の記述では、本発明がより徹底的に理解されるように、大量の具体的な詳細が与えられている。しかし、当業者であれば分かるように、これらの詳細の１つまたは複数を必要とせずに本発明を実施可能である。他の例では、本発明と混同しないように、本分野の公知の幾つかの技術的特徴は記述されていない。
【００２１】
本発明が徹底的に理解されるように、下記の記述に詳細構成を挙げて本発明を説明する。本発明の実施が当業者に知られる特殊な詳細に限定されていないことは明白である。本発明の好ましい実施形態は具体的な説明が以下のように示している。しかしながら、本発明はこれらの具体的な説明以外に他の形態を取り得るものであり、ここに記述された実施形態に限定されると理解されるべきではない。
【００２２】
ここにおいて使用された用語については、本発明を限定するものではなく、具体的な実施形態を説明するためのものである。単数形の「１つ」「１個」及び「前記／当該」という表現は、前後の内容に他の意味を明確的に示す場合以外に、複数形の意味も含む。本明細書に「含んでいる」及び／又は「含む」という用語を用いる場合、前記特徴、全体、ステップ、操作、部品及び／又はコンポーネントが存在することが表明されるが、１つ又は複数の他の特徴、全体、ステップ、操作、部品及び／又はコンポーネント及び／又はこれらの組み合わせが存在又は付加されることは排除されない。本発明において使用された「上」、「下」、「前」、「後」、「左」、「右」及びこれらと類似している表現は説明のためだけのものであり、限定を意図するものではない。
【００２３】
本発明に使用された「第１の」と「第２の」という序数詞は、例えば特定の順序等の他のいかなる意味を有するものではなく、表記のためのものだけである。
【００２４】
以下、図を参照して、本発明の具体的な実施形態について詳細に説明する。これらの図には本発明における代表的な実施形態を示しているが、本発明を限定するものではない。
【００２５】
＜好ましい第１の実施形態＞
図１〜図３に示すように、本発明の好ましい第１の実施形態により、コイルという貨物、積み上げたガラスなどのような貨物の固定を実現できる貨物ストッパレバー構成１００が提供される。
【００２６】
当該貨物ストッパレバー構成１００は、固定ベース部品１１０、位置決め部品１２０及びロック部材１３０を含む。固定ベース部品１１０はコンテナ体の筐体（未図示）又は貨物の筐体（未図示）に取り付けられることができる。位置決め部品１２０はロック部材１３０を介して固定ベース部品１１０に接続され、固定ベース部品１１０に対して移動可能である。また、貨物ストッパレバー構成１００はさらにストッパレバー１４０を含む。ストッパレバー１４０は位置決め部品１２０に直接的又は間接的に接続されることで、ストッパレバー１４０が位置決め部品１２０と共に移動でき、且つ、所定の位置に移動した後に、筐体に固定されることで、貨物の移動を妨げることができる。
【００２７】
さらに、固定ベース部品１１０は例えば、コンテナ体の筐体のようなフレーム、又はガラスを積載するＡ型ホルダーのような貨物を積載する独立な筐体に取り付けられることができる。固定ベース部品１１０は棒状部品に構成され、第１の斜面１１１及びガイド溝１１２を含む。第１の斜面１１１は貨物がある側に向くように傾斜して、位置決め部品１２０に係合できる。ガイド溝１１２は、周囲が閉鎖され上下に貫通する連通溝に構成され、かつ移動方向に沿って延びるように設置される。ロック部材１３０はガイド溝１１２を貫通し、ガイド溝１１２内で移動方向に沿って移動できる。
【００２８】
なお、本願に言及された「移動方向」は貨物がある側に向けて移動することを意味し、水平又は垂直に移動してもよい。一例として、固定ベース部品１１０が横方向又は縦方向のような水平方向に沿って筐体に配置される場合、移動方向とは貨物がある側へ向けて水平的に移動することを意味する。
【００２９】
位置決め部品１２０は、移動状態と固定状態とをとり、移動状態にある場合、固定ベース部品１１０上で移動方向に沿って移動可能であり、固定状態にある場合、それに接続されるストッパレバー１４０は動くことができない。位置決め部品１２０は、第１の斜面１１１に対応する第２の斜面１２１を含む。第２の斜面１２１は、第１の斜面１１１に対向するように設置され、第１の斜面１１１とほぼ同じ傾斜角を有する。第２の斜面１２１は、位置決め部品１２０による移動によって第１の斜面１１１に当接することができる。このようにすれば、第１の斜面１１１は第２の斜面１２１の貨物がある側へ向かう支持力を提供することができ、つまり、固定ベース部品１１０は位置決め部品１２０の貨物がある側へ向かう支持力を提供することができることで、ストッパレバー１４０が貨物の移動を妨げる推力を提供できるようになる。
【００３０】
図１及び図３に示すように、ロック部材１３０は、接続部１３１とロック部１３２を含み、ロック部１３２は接続部１３１に套設して接続される。ロック部１３２の位置を調整することによって、位置決め部品１２０を固定する。接続部１３１は、一端がロック部１３２に接続され、一端に対向する他端にはストッパ部１３３が設置される。ロック部１３２とストッパ部１３３は、位置決め部品１２０及び固定ベース部品１１０を挟持している。
【００３１】
さらに、ロック部１３２は、ねじ込み式で接続部１３１の一端に接続され、位置決め部品１２０へ向けてねじ込むことができる。ねじ込む過程において、ロック部１３２とストッパ部１３３の間の距離を短くすることで、ロック部１３２と位置決め部品１２０とを当接させ、ストッパ部１３３と固定ベース部品１１０とを当接させる。このとき、位置決め部品１２０は、固定ベース部品１１０に固定され、固定状態になる。ロック部１３２を位置決め部品１２０から離れる方向に緩めることによって、位置決め部品１２０が固定部品から離れて移動可能となり、ここで移動状態になる。
【００３２】
好ましくは、図１に示すように、固定ベース部品１１０は第１の斜面１１１を有する固定楔形部１１３と、固定ベース本体１１４とを含む。固定ベース本体１１４は、筐体に固定され、固定楔形部１１３と全体で１つの一体的な構成である楔形ブロックを形成する。当該楔形ブロックは１つの第１の斜面１１１を有する。当該固定ベース部品１１０は、１つ又は複数のガイド溝１１２を含んでもよい。各ガイド溝１１２は、いずれも対応する位置決め部品１２０及びロック部材１３０に係合する。複数のストッパレバー１４０の固定を実現するように、１つの固定ベース部品１１０が１つ又は複数の位置決め部品１２０及び複数のロック部材１３０に対応する。なお、必要に応じてガイド溝１１２の移動方向の長さを設定してもよい。好ましくは、１つのストッパレバー１４０を固定できるように、ガイド溝１１２の長さを設定してよい。
【００３３】
あるいは、好ましくは、固定ベース本体１１４は棒状に構成され、固定楔形部１１３は固定ベース本体１１４の一側面に接続される。固定楔形部１１３の位置を独立して設置するように、固定楔形部１１３のサイズを固定ベース本体１１４のサイズより小さくする。固定ベース本体１１４は、固定楔形部１１３において、貫通する第１のガイド溝が対応して設置されている。固定楔形部１１３は第１のガイド溝と連通する第２のガイド溝を有していてよく、この２つのガイド溝が上記ガイド溝１１２に構成する。あるいは、ロック部材１３０の接続部１３１が固定ベース本体１１４及び固定楔形部１１３を貫通できるように、固定楔形部１１３は移動方向に延びる２つの部分に構成され、且つ第１のガイド溝の両側にそれぞれ位置するように構成されてもよい。固定ベース部品１１０は、複数のガイド溝１１２及び複数の固定楔形部１１３を含んでもよい。このようにすることで、複数の位置決め部品１２０及びロック部材１３０を対応して設置して、複数のストッパレバー１４０の固定を実現できる。
【００３４】
なお、本願における「複数」とは２つ以上のことを意味する。当業者は必要に応じて特定の数量のガイド溝１１２、圧力部品及び蒸気排出通路を設置してもよい。
【００３５】
好ましくは、位置決め部品１２０は、第２の斜面１２１を有するＵ形状の部品として構成され、固定ベース部品１１０は、Ｕ形状の部品内を貫通し、即ち、位置決め部品１２０は、固定ベース部品１１０に套設される。こうすることで、位置決め部品１２０が移動している間に、移動方向にずれないようにできる。
【００３６】
さらに、位置決め部品１２０は、第２の斜面１２１を有する位置決め楔形部１２２とＵ形状の本体１２３を含む。当該位置決め楔形部１２２は、Ｕ形状の本体１２３における底壁１２４の内表面に接続される。固定ベース部品１１０とＵ形状の本体１２３の２つの側壁１２５の内表面との間に小さい隙間がある。ストッパレバー１４０は、Ｕ形状の本体１２３の１つの側壁１２５に接続され、固定ベース部品１１０と略直角となす。位置決め楔形部１２２とＵ形状の本体１２３とは一体的な構成であってもよく、サイズが異なる２つの部品に形成してもよい。
【００３７】
なお、位置決め部品１２０は、１つ又は複数のストッパレバー１４０に接続してよい。位置決め部品１２０の移動方向の長さが十分である場合、位置決め部品１２０が複数のストッパレバー１４０に接続してもよい。好ましくは、位置決め部品１２０は、ガイド溝１１２の長さにほぼ一致するように構成され、かつ１つのストッパレバー１４０に接続される。
【００３８】
好ましくは、ロック部材１３０は、ロック部１３２に接続されるハンドル部１３４をさらに含む。ハンドル部１３４を回転することによって、ロック部１３２をねじ込んだり緩めたりすることができる。
【００３９】
この好ましい実施形態で提供される貨物ストッパレバー構成１００において、固定ベース部品１１０はコンテナ体における対応する両側の筐体に取り付けられてもよい。ストッパレバー１４０の両端がそれぞれコンテナ体の両側における位置決め部品１２０に接続されることで、貨物をよりよく固定することができる。固定ベース部品１１０が水平に取り付けられる場合、図に示す固定ベース部品１１０の第１の斜面１１１を上方に向けた状態で取り付けられる。
【００４０】
なお、固定ベース部品１１０は垂直に取り付けられてよく、又は図に示す状態に対して垂直に１８０°回転する状態で取り付けられてもよい。いずれにしても、ストッパレバーが貨物を妨げることになる。
【００４１】
この好ましい実施形態の他の側面によれば、上記技術案における貨物ストッパレバー構成１００を含むコンテナが提供される。当該貨物ストッパレバー構成１００がコンテナ体の筐体に取り付けられることによって、コンテナ内にある貨物を固定することができるようになる。
【００４２】
＜好ましい第２の実施形態＞
図４及び図５には、本発明の好ましい第２の実施形態に係る貨物ストッパレバー構成２００が示されている。貨物ストッパレバー構成２００は、好ましい第１の実施形態にける貨物ストッパレバー構成１００とほぼ同様な構成及び／又は構造を有する。当該貨物ストッパレバー構成２００は、固定ベース部品２１０、位置決め部品２２０、ロック部件２３０及びストッパレバー２４０を含む。ここで、ストッパレバー２４０がロック部件２３０と共に移動するように、ストッパレバー２４０がロック部件２３０に直接的又は間接的に接続されるという点は、好ましい第１の実施形態と異なる。
【００４３】
また、固定ベース部品２１０の設置方式及び構造は、好ましい第１の実施形態における固定ベース部品１１０とほぼ同様であるので、簡潔のために重複する説明を省略する。ここで、固定ベース部品２１０が水平に取り付けられる場合、図に示すように固定ベース部品２１０の第１斜面２１１を下方へ向けた状態で取り付けられるという点は、好ましい第１の実施形態と異なる。
【００４４】
位置決め部品２２０と固定ベース部品２１０との係合方式は、好ましい第１の実施形態における位置決め部品１２０と固定ベース部品１１０の係合方式とはほぼ同様であるので、簡潔のために重複する説明を省略する。ここで、位置決め部品２２０が第２の斜面２２１を有する楔形ブロックに構成されるという点は、好ましい第１の実施形態と異なる。
【００４５】
ロック部件２３０の構造は、好ましい第１の実施形態におけるロック部材１３０の結構及び構造とはほぼ同様である。ロック部件２３０は接続部２３１、ロック部２３２及びハンドル部２３４を含む。ロック部２３２は接続部２３１に套設して接続される。ロック部２３２の位置を調整することによって、固定位置決め部品２２０を固定する。ここで、異なるのは、ストッパレバー２４０が固定ベース部品２１０の位置決め部品２２０と反対側に位置する点である。接続部２３１は、一端がロック部２３２に接続され、一端に対向する他端がストッパレバー２４０に接続される。ロック部２３２とストッパレバー２４０は、位置決め部品２２０及び固定ベース部品２１０を挟持している。
【００４６】
また、ロック部２３２は、ねじ込み式で接続部２３１の一端に接続され、位置決め部品２２０へ向けてねじ込むことができる。ねじ込む過程で、ロック部２３２とストッパレバー２４０の間の距離を短くすることで、ロック部２３２と位置決め部品２２０とを当接させ、ストッパレバー２４０と固定ベース部品２１０とを当接させる。このとき、位置決め部品２２０は固定ベース部品２１０に固定され、固定状態になる。ロック部１３２を位置決め部品２２０から離れるように緩めることで、位置決め部品２２０が固定部品から離れて移動可能となり、ここで移動状態になる。
【００４７】
好ましくは、ストッパレバー２４０を固定ベース部品２１０の側に設置することを可能とすることで、必要に応じて接続部２３１がストッパレバー２４０に接続される位置を選択できるようにする。図５に示すように、ストッパレバー２４０の中央部が接続部２３１に接続される。こうすると、筐体を通して、筐体の両側にある貨物を固定することができる。
【００４８】
好ましい本実施形態に提供される貨物ストッパレバー構成２００において、固定ベース部品２１０は、コンテナ体の筐体における対応している両側の筐体に取り付けられてもよい。ストッパレバー２４０の両端はコンテナ体の両側にける位置決め部品２２０にそれぞれ接続されてもよい。こうすると、よりよく貨物を固定することができる。ストッパレバー２４０が水平に取り付けられる場合、図に示すように、固定ベース部品２１０の第１の斜面２１１を下方へ向けた状態で取り付けることができる。このとき、ストッパレバー２４０は、固定ベース部品２１０の上方に位置する。
【００４９】
好ましい本実施形態他の側面によれば、上記技術案に係わる貨物ストッパレバー構成２００を含むコンテナが提供される。当該貨物ストッパレバー構成２００がコンテナ体の筐体に取り付けられることによって、コンテナ内にある貨物を固定することができるようになる。
【００５０】
なお、本願に言及された「間接的に接続される」とは、ストッパレバーを別の部材に接続して全体構成を形成し、この別の部材を位置決め部品１２０又はロック部件２３０に接続することをいう。こうすると、ストッパレバーが着脱可能に設置することが容易になる。
【００５１】
＜好ましい第３の実施形態＞
図６及び図７には、本発明の好ましい第３の実施形態に係る貨物ストッパレバー構成３００が示されている。貨物ストッパレバー構成３００は、好ましい第２の実施形態における貨物ストッパレバー構成２００とほぼ同様の構成及び／又は構造を有する。従って、好ましい第２の実施形態とほぼ同様な機能を有する部品に対して、好ましい第２の実施形態と同じ符号を付ける。簡潔のために、詳細な説明及び／又は図示をしない。ストッパレバー３４０とロック部件２３０の取り付けが異なっているという点は同様ではない。
【００５２】
また、貨物ストッパレバー構成３００は、ロック部材に連続される接続具３５０をさらに含む。ストッパレバー３４０は、穴を有する。接続具３５０には、固定ベース部品２１０の延在方向に沿って設置され、かつ穴に係合するための回転軸が設けられる。ストッパレバー３４０は、回転軸を中心として接続具３５０に対して回転可能である。これにより、ストッパレバー３４は、使用時に固定状態及び移動状態の間で切る替えられることができる。不使用時には、ストッパレバー３４０が垂直位置のような一定の位置に回転することができる。こうすると、利用者にとって貨物の卸しが便利になる一方、貨物を卸した後に、Ａ型ホルダーのような貨物を積載する筐体をトラックの側壁に寄せて置くことができ、そうすると、輸送も便利になる。
【００５３】
ストッパレバー３４０は、第１の穴３４１と第２の穴３４２を有し、接続具３５０には第１の穴３４１と係合するための第１の回転軸３６１及び第２の穴３４２と係合するための第２の回転軸３６２が設置されている。ストッパレバーは、第１の回転軸３６１及び第２の回転軸３６２のうちの１つを中心として接続具３５０に対して回転可能である。
【００５４】
第１の回転軸３６１は、接続具３５０の第１の端３５１に設けられ、第２の回転軸３６２は、接続具３５０の第１の端３５１に対向する第２の端３５２に設けられる。図８に示すように、ストッパレバー３４０は、第１の回転軸３６１を中心として水平位置から垂直位置に回転し、接続具３５０の第１の端３５１に固定される。図９に示すように、ストッパレバー３４０は、第２の回転軸３６２を中心として水平位置から垂直位置に回転し、接続具３５０の第２の端３５２に固定される。こうすると、必要に応じてストッパレバー３４０の回転方式及び回転した固定位置を選択することができる。
【００５５】
第１の穴３４１は、長形状の貫通穴であり、ストッパレバー３４０の延在方向に所定の長さを有する。第２の穴３４２は、円形状の貫通穴であり、少なくとも２つが設けられる。少なくとも２つの第２の穴３４２はストッパレバー３４０の延在方向に間隔をあけて設置される。第２の回転軸３６２は少なくとも２つ第２の穴３４２のうちの１つに固定される。第１の回転軸３６１が第１の穴３４１における内側に近い一端に位置すると、第２の回転軸３６２が外側に近い第２の穴３４２に位置する。このように、ストッパレバー３４０は、ストッパレバー３４０の延在方向に少なくとも２つの固定位置を有する。それにより、ストッパレバー３４０がストッパレバー３４０の延在方向に移動することによって、ストッパレバー３４０の固定ベース部品２１０に対する左右両側における長さが調整される。第１の穴３４１の長さは、少なくとも２つの第２の穴３４２の最大距離の以上である。なお、「最大距離」は少なくとも２つの第２の穴３４２の最も外縁の間の距離を意味する。
【００５６】
好ましくは、接続具３５０がＵ形状の部品に構成され、ロック部件２３０の接続部２３１が接続具３５０の底壁に固定接続される。ストッパレバー３４０は、第１の回転軸３６１及び第２の回転軸３６２で接続具３５０の両側の壁に固定される。ストッパレバー３４０が接続具３５０に対して垂直位置に回転できるように、接続具３５０における第１の端３５１及び第２の端３５２の底壁には切り口が設けられる。なお、本願に言及された「延在方向」は、長さ方向として理解される。例えば、ストッパレバーの延在方向は、ストッパレバーの長さ方向を指す。
【００５７】
好ましい本実施形態の他の側面によれば、上記技術案における貨物ストッパレバー構成３００を含むコンテナが提供される。当該貨物ストッパレバー構成３００がコンテナ体の筐体に取付けられることによって、コンテナ内にある貨物を固定することができるようになる。
【００５８】
特定の定義がある場合を除き、本願に用いられる技術用語及び科学用語は、当業者が一般的に理解する意味と同義である。本願に用いられる用語は、具体的な実施を説明するためのものであり、本発明を限定することを意図するものではない。本願に使用された、例えば、「部材」「部品」などの用語は単一の部品を意味してもよく、複数の部品による組み合わせを意味してもよい。本願に使用された、例えば、「取り付けられる」「設置」等の用語は、１つの部材が別の部材に直接的に接続されることを意味してもよく、１つの部材が中間部材を介して別の部材に接続されることを意味してもよい。
【００５９】
本発明について上記実施形態により説明したが、上記実施形態が単に例示および説明の目的であり、本発明を記述された実施形態の範囲内に限定することを意図しないことは、理解されるべきである。当業者であれば理解できるように、本発明の示教に基づいて、より多くの変形および変更が可能であり、これらの変形および変更は、何れも本発明が保護を請求する範囲内に含まれる。本発明の保護範囲は、添付する請求項の範囲およびその均等範囲によって規定される。
【符号の説明】
【００６０】
１００…貨物ストッパレバー構成、１１０…固定ベース部品、１１１…第１の斜面、１１２…ガイド溝、１１３…固定楔形部、１１４…固定ベース本体、１２０…位置決め部品、１２１…第２の斜面、１２２…位置決め楔形部、１２３…Ｕ形状の本体、１２４…底壁、１２５…側壁、１３０…ロック部材、１３１…接続部、１３２…ロック部、１３３…ストッパ部、１３４…ハンドル部、１４０…ストッパレバー、２００…貨物ストッパレバー構成、２１０…固定ベース部品、２２０…位置決め部品、２３０…ロック部件、２４０…ストッパレバー、２１１…第１の斜面、２２１…第２の斜面、２３１…接続部、２３２…ロック部、２３４…ハンドル部、３００…貨物ストッパレバー構成、３４０…ストッパレバー、３４１…第１の穴、３４２…第２の穴、３５０…接続具、３５１…第１の端、３５２…第２の端、３６１…第１の回転軸、３６２…第２の回転軸
【図１】
2021501101.tif 000003
【図２】
2021501101.tif 000004
【図３】
2021501101.tif 000005
【図４】
2021501101.tif 000006
【図５】
2021501101.tif 000007
【図６】
2021501101.tif 000008
【図７】
2021501101.tif 000009
【図８】
2021501101.tif 000010
【図９】
2021501101.tif 000011
【国際調査報告】
2021501101.tif 000012
2021501101.tif 000013
2021501101.tif 000014
2021501101.tif 000015